(57)【特許請求の範囲】
【請求項１】
サドル型分水栓の腐食を防止するために該分水栓に取り付けて使用する犠牲陽極において、前記サドル分水栓の材料よりイオン化傾向の高い金属で作られ、少なくとも一つの平面部を備えたブロック状の陽極本体と、前記陽極本体の前記平面部を上面側で受け止め、下面側でサドル型分水栓のキャップの上に載置可能な平面状のベース部と、前記ベース部の外周の一側において前記ベース部の下面側に折り曲げられ、前記ベース部の外周に沿って延びる折り曲げ部とを備えた取付け板と、その両端部において前記取付け板の折り曲げ部の両端部に結合され、前記折り曲げ部と協働して前記キャップの外周を囲繞するバンド部材と、前記陽極本体を前記ベース部に取付け固定する取付け手段と、前記折り曲げ部と前記バンド部材を結合し、前記犠牲陽極を前記サドル型分水栓の前記キャップに固定する結合手段を備えている、犠牲陽極。
【請求項２】
請求項１記載の犠牲陽極において、前記取付け板の前記折り曲げ部及びバンド部材は、それぞれの下側縁部から径方向内方へ延びる舌状の係止部を備え、該係止部は、前記犠牲陽極を前記サドル型分水栓に取り付けたときに、前記キャップの下面の下側に位置するようになっている、犠牲陽極。
【請求項３】
請求項２記載の装置において、前記バンド部材は、その上側縁部から径方向内方へ延びる舌状の係止部を備え、該係止部は、前記犠牲陽極を前記サドル型分水栓に取り付けたとき、前記取付け部材の前記ベース部の外周近傍において前記ベース部の上面の上側に位置するようになっている、犠牲陽極。
【発明の詳細な説明】
【０００１】
【発明の属する分野】
本発明は、水道用埋設配管及び配管機器の腐食を防止するのに使用する犠牲陽極に関し、さらに詳細に言えば、サドル型分水栓に着脱自在に取付け可能にした犠牲陽極に関する。
【０００２】
【従来の技術】
水道用配管等の如き土中に埋設される金属製配管には、土壌環境の不均一性や異種金属の接触等により形成される腐食電池や、迷走電流による腐食が発生する。近年、水道用配管そのものにはステンレス管が使用されることが多くなり、腐食の問題は少なくなっている。しかしながら、排水管の分岐部分等に使用される所謂サドル型分水栓は、一般的には砲金を使用して作られており、この砲金はステンレス等に比して電気化学的腐食を起こしやすく、例えば、分水栓のキャップ部分等が腐食して、漏水、水質汚染等の問題を起こすことがあった。
【０００３】
【発明が解決しようとする課題】
ところで、被防食体にこれより卑な金属を接続し、両者間の電位差を利用して防食電流を与える流電陽極方式が知られている。本願発明は、この流電陽極方式を利用してサドル型分水栓の腐食を防止すべく、サドル型分水栓に着脱自在に取付け可能な犠牲陽極を提供することを目的とする。
【０００４】
上記課題を解決すべく、本発明のサドル型分水栓の腐食を防止するために該分水栓に取り付けて使用する犠牲陽極においては、そのサドル分水栓の材料より卑すなわちイオン化傾向の高い金属で作られ、少なくとも一つの平面部を備えたブロック状の陽極本体を、取付け板とこれに結合されるバンド部材でサドル型分水栓のキャップに着脱自在に取り付ける構成になっている。取付け板は、陽極本体の平面部を上面側で受け止め、下面側でサドル型分水栓のキャップの上に載置可能な平面状のベース部と、このベース部の外周の一側において下面側に折り曲げられ、ベース部の外周に沿って延びる折り曲げ部とを備えている。バンド部材は、その両端部において取付け板の折り曲げ部の両端部に結合され、折り曲げ部と協働して分水栓のキャップの外周を囲繞する。陽極本体は適宜取付け手段で取付け板に固定され、取付け板の折り曲げ部とバンド部材は適宜結合手段で結合される。
【０００５】
【発明の実施の形態】
以下、図面に基づき本願発明の具体的実施例を説明するが、本願発明の範囲は以下に説明される実施例に限定されるのではない。
【０００６】
図１は、本発明の一実施例に係る犠牲陽極の分解斜視図であり、犠牲陽極全体は符号１で示されている。犠牲陽極１は、イオン化傾向の高い卑金属、本実施例では亜鉛で作られた陽極本体３を備えている。陽極本体３は、少なくとも一つの平らな面即ち平面部５を備えたブロックであり、本実施例では全体が略円柱状に形成されている。この円形の平面部５の略中央部で、平面部５に対し垂直に内部に向かって雌ねじ７が刻設されている。
【０００７】
符号９は、陽極本体３をサドル型分水栓に取り付けるための取付け板であり、薄い構造用鋼板を使用して作られている。取付け板９は外形が略円形のベース部１１を備え、このベース部１１の中央部分は、ベース部１１の外形と同心状に上方に隆起して形成された台座部１２となっている。この台座部１２に陽極本体３が載置されるが、台座部１２の略中心位置に、陽極本体３の雌ねじ７に螺合する雄ねじ１９がカシメ、圧入、溶接その他の適宜手段を用いて立設されている。
【０００８】
符号１３は、ベース部１１の外周の片側半部側でベース部１１の下面側へ、即ち雄ねじ１９が延びるのとは反対方向へ略直角に折り曲げられた折り曲げ部であり、その高さは、この犠牲陽極１が取り付けられるサドル型分水栓のキャップの高さ寸法に応じて定められる。折り曲げ部１３の両端部１４、１５は、ベース部１１の径方向外方へ折り曲げられている。一方の端部１４には孔１６が明けられており、他方の端部は円弧状に曲げられている。折り曲げ部１３の下側縁部には、ベース部１１の径方向内方へ向けて折り曲げられた舌状の係止部１７が複数、本実施例では２か所、周方向で隔てて設けられている。
【０００９】
符号２５は取付け板９に結合される略帯状のバンド部材であり、やはり構造用鋼板を使用して作られており、円弧状に形成されている。そして、その上側の縁部には円周方向で隔てて本実施例では３個の舌状の係止部２７が、下側の縁部にはやはり円周方向で隔てて２個の舌状の係止部２８が、径方向内方へ向けて略直角に折り曲げて形成されている。一方の端部２９は外方へ曲げられており、取付け板９の折り曲げ部１３の一方の端部の孔１６に対応して雌ねじ３０が形成され、他方の端部３１には、取付け部材９の折り曲げ部１３の他方の端部１５が挿入可能な角孔３２が形成されている。
【００１０】
符号３５及び３７は、取付け板９の折り曲げ部１３の一方の端部１４と、バンド部材２５の一方の端部２９を結合するのに使用するナット及び座金である。また、符号４１は、取付け板９の台座部１２に載置される金属製の座金で、中央部に雄ねじ１９が通る孔４３が設けられている。
【００１１】
図２は、本実施例の犠牲陽極１をサドル型分水栓に取り付けた状態を示す断面図であるが、その説明に先立ち、この犠牲陽極１が取り付けられるサドル型分水栓の一例を図３により簡単に説明すると、サドル型分水栓１０１は、上下のサドル１０３、１０５を有し、これらで水道本管（図示せず）を挟み、ボルト、ナット１０７、１０９で取り付ける。上側サドル１０３には分水栓１１１が取り付けられており、分水口１１３を備えている。分水栓１１１の内部には縦方向に貫通孔１１４が形成され、それは途中で分水口１１３へ分岐している。貫通孔１１４の上端には分水栓キャップ１１７が取り付けられている。上下のサドル１０３、１０５を水道本管に取り付け、固定した後、キャップ１１７を外し、貫通孔１１４の上端開口１１５から穿孔工具を挿入し、本管に孔を明ける。工具を引き抜き、キャップ１１７を取り付ける。本発明の犠牲陽極は、このキャップに取り付けられるようになっている。
【００１２】
犠牲陽極１を取り付けるには、取付け板９を、そのベース部１１をサドル型分水栓１０１のキャップ１１７の上面に載置する。この時、折り曲げ部１３の下端に設けられた係止部１７は、キャップ１１７の下面の下に位置するようになっている。本実施例では、ボルト１９の頭が台座部１２の下面側に出ているが、台座部１２はベース部１１から隆起しているので、邪魔にはならない。バンド部材２５を取付け板９の折り曲げ部１３に対向するように配置し、その一方の端部の角孔３２に折り曲げ部１３の一方の端部１５の曲げた部分を挿入させる。この時、掛け止めをより確実にするために、端部１５を工具を用いてさらに折り曲げてしまってもよい。なお、この実施例では端部１５は外側へ曲がっているが、内側へ曲げるようにしてもよい。
【００１３】
次にボルト３５を座金３７、折り曲げ部１３の端部１４の孔１６に通し、バンド部材２５のネジ孔３０に螺合させ締めつける。この時、バンド部材２５の下側の係止部２９はキャップ１１７の下面の下側に位置し、上側の係止部２７は、取付け板９のベース部１１の上面の上側に位置する。次に、座金４１を孔４３に雄ねじ１９に通して配置し、最後に陽極本体３を雄ねじ１９に雌ねじ７を螺合させることにより、取付けが完了する。なお、陽極本体３を先に取付け板９に固定しておいてもよい。
【００１４】
以上のように犠牲陽極１をサドル型分水栓１０１のキャップ１１７に取り付けておけば、犠牲陽極１とサドル分水栓１０１との間が導電性材料で作られた取付け板９及び座金４１を介して導通が取られ、砲金よりイオン化傾向の強い犠牲陽極がアノードに、サドル型分水栓がカソードになり、サドル型分水栓の腐食が防止される。
【００１５】
上記実施例では、陽極本体３の形状は円柱状としたが、これに限定されるものではない。また、陽極本体３を取付け板に取り付けるために雌ねじ７と雄ねじ１９の構成を用いているが、これに限定されない。ボルトに代えて軸を用い、是を孔に圧入する構成でもよい。また、取付け板のベース部１１及びバンド部材２５から上方へ延びる、先端に内方へ折り曲げた爪部を備え、バネ性を備えた掛け止め片を設けてもよい。折り曲げ部１３とバンド部材２５の結合する構成も、上記実施例に限定されるものではなく、例えば、２組のボルト、ナットを使用する構成でもよいし、角孔３２に代えて、上縁から下に延びる切り込みでもよい。
【００１６】
【発明の効果】
以上の説明から明らかな通り、本発明によれば、サドル型分水栓に簡単に着脱自在に取り付けることのできる犠牲陽極が提供され、これによりサドル型分水栓の腐食を効果的に防止することができる。構造がきわめて簡単であるので安価に提供できる。また、着脱自在であるので取扱が簡単で、犠牲陽極の交換作業が簡単に行える。また、ネジ等を用いて陽極本体を取付け板に着脱自在に取り付けるようにすれば、陽極本体のみの交換作業も簡単になる。上記実施例のように、取付け板及びバンド部材で分水栓のキャップの周囲のみでなく、上下の面をも掛け止めするようにすれば、犠牲陽極のキャップへの取付けが強固になり、外力が作用しても外れることがない。また、バンド部材の上側の係止部を取付け板のベース部の上面の上側に位置させれば、図２で矢印Ａの方向の力が作用しても、取付け板が折り曲げられてしまうことがない。
【図面の簡単な説明】
【図１】本発明の一実施例にかかる犠牲陽極の分解斜視図である。
【図２】犠牲陽極をサドル型分水栓のキャップに取り付けた状態を示す断面図である。
【図３】サドル型分水栓の一例を示す正面図である。
【符号の説明】
１  犠牲陽極
３  陽極本体
５  平面部
７  雌ねじ
９  取付け板
１１  ベース部
１２  台座部
１３  折り曲げ部
１４、１５  端部
１７  係止部
２５  バンド部材
２７  上側係止部
２８  下側係止部
２９、３１  端部
３０  ネジ孔
３２  角孔
３５  ボルト
３７  座金
１０１  サドル型分水栓
１１７  キャップ
【図１】
0003752274.tif 000002
【図２】
0003752274.tif 000003
【図３】
0003752274.tif 000004